(57)【要約】【課題】            内枠部４及び外枠部５の直径に影響されずに、内枠部４と外枠部５の間の空間距離を設定できるようにするとともに、灯具２をスムーズに回転することができる照明器具１を得る。【解決手段】        可動ストッパー１００と、灯具２が取り付けられる内枠部３と、略円筒形状の内側に内枠部４を周枠部方向に回転可能に取り付ける外枠部５と、内枠部４または外枠部５の上部側に配置され、内枠部４の回転を規制する固定ストッパー１４と、内枠部４の回転により、固定ストッパー１４に当接してスライドする可動ストッパー１００と、可動ストッパー１００が取り付けられるとともに、可動ストッパー１００がスライドするストローク量を決定する可動ストッパー取付部２００と、を備えるので、内枠部４及び外枠部５の直径に影響されずに、内枠部４と外枠部５の間の空間距離を設定できるとともに、灯具２をスムーズに回転することができる。【選択図】          図３
2010049833.tif 000002
【特許請求の範囲】
【請求項１】
可動ストッパーと、
略円筒形状をなし、灯具が取り付けられる内枠部と、
略円筒形状をなし、この略円筒形状の内側に前記内枠部を周枠部方向に回転可能に取り付ける外枠部と、
前記内枠部または前記外枠部の上部側に配置され、前記内枠部の回転を規制する固定ストッパーと、
前記内枠部の回転により、前記固定ストッパーに当接してスライドする可動ストッパーと、
前記可動ストッパーが取り付けられるとともに、前記可動ストッパーがスライドするストローク量を決定する可動ストッパー取付部と、
を備えることを特徴とする照明器具。
【請求項２】
可動ストッパーは、固定ストッパーに接触するストッパー片と、可動ストッパー取付部にスライド可能に取り付けられるスライド部と、を備えることを特徴とする請求項１に記載の照明器具。
【請求項３】
可動ストッパー取付部は、灯具の回転方向とほぼ平行となるスライド面を有することを特徴とする請求項１または請求項２に記載の照明器具。
【請求項４】
可動ストッパー取付部は、可動ストッパーのスライド方向をガイドするスライド方向ガイド部を有することを特徴とする請求項１〜請求項３のいずれかに記載の照明器具。
【請求項５】
可動ストッパーがスライドするストローク量は、
内枠部が回転するときの回転方向のストッパー片の幅寸法の長さと、
内枠部が回転するときの回転方向の固定ストッパーの幅寸法の長さと、
を加算した長さとほぼ同じであることを特徴とする請求項２〜請求項４のいずれかに記載の照明器具。
【請求項６】
埃よけ部と、
前記埃よけ部と内枠部とを接続するとともに、前記内枠部と接続する部分は、可動ストッパー部がスライド可能となるように可動ストッパー取付部に取り付けられる支持部と、
を備えることを特徴とする請求項１〜請求項５のいずれかに記載の照明器具。
【発明の詳細な説明】
【技術分野】
【０００１】
本発明は、照明器具の灯具を回転する技術に関するものである。
【背景技術】
【０００２】
照射方向可変型照明器具において、水平方向の回転については灯具から出ている電線の保護などを目的にストッパーにて回転角度を制限する必要がある。通常は天井に固定される支柱部と可動される灯具部の双方に設けた突起の干渉により制限する方法が一般的であるが、その場合突起の厚み分の影響で回転角度が３６０°以下となり、照射範囲に死角は発生する問題があった。
【０００３】
この問題を解決する技術として、灯具のガタツキを防止するとともにストッパーを可動させて、灯具の回転角度が３６０°となるようにする技術がある。（例えば、特許文献１参照。）
【０００４】
【特許文献１】特開２０００−３４８５２８号公報（段落「００１２」、図４、図５）
【発明の開示】
【発明が解決しようとする課題】
【０００５】
しかしながら、枠体の直径が小さくなると、可動可能なストッパーが内側に突出するため、灯具の直径を小さくすることが求められ、ランプの光を必ずしも効率よく灯具から照射エリアに照射できない恐れがあった。
【０００６】
また、可動可能なストッパーの略平面状の両端の辺が、枠体の曲面に接触するため、可動可能なストッパーと枠体が接触するときの引っ掛かり（摩擦力）によって、可動可能なストッパーが可動し難くなる恐れがあった。
【０００７】
また、可動可能なストッパーの突出部に固定されたストッパーが接触した際、可動可能なストッパーが枠体の曲面に沿って変形する恐れがあり、可動ストッパーが大きく変形したときは、ストッパーが突出部を乗り越えて灯具が回転する恐れがあった。
【０００８】
本発明は、例えば、内枠部及び外枠部の直径に影響されずに、内枠部と外枠部の間の空間距離を設定できるようにするとともに、灯具をスムーズに回転することができる照明器具を得ることを目的とする。
【課題を解決するための手段】
【０００９】
本発明に係る照明器具は、可動ストッパーと、略円筒形状をなし、灯具が取り付けられる内枠部と、略円筒形状をなし、この略円筒形状の内側に前記内枠部を周枠部方向に回転可能に取り付ける外枠部と、前記内枠部または前記外枠部の上部側に配置され、前記内枠部の回転を規制する固定ストッパーと、前記内枠部の回転により、前記固定ストッパーに当接してスライドする可動ストッパーと、前記可動ストッパーが取り付けられるとともに、前記可動ストッパーがスライドするストローク量を決定する可動ストッパー取付部と、を備えることを特徴とする。
【発明の効果】
【００１０】
本発明によれば、内枠部及び外枠部の直径に影響されずに、内枠部と外枠部の間の空間距離を設定できるとともに、灯具をスムーズに回転することができる。
【発明を実施するための最良の形態】
【００１１】
実施の形態１．
図１、図２を用いて、本実施の形態の照明器具の構造について説明する。
【００１２】
図１は、本実施の形態の照明器具を示す斜視図であり、図２は、図１の照明器具の分解斜視図である。
【００１３】
照明器具１は、灯具２と、アーム部３を介して灯具２が取り付けられる内枠部４と、この内枠部４が内側に取り付けられる外枠部５と、この外枠部５の外周に取り付けられる取付バネ６と、埃よけ部７と、この埃よけ部７と内枠部４とを連結する支柱部８ａ、８ｂとを備える。
【００１４】
灯具２は、ランプ９が取り付けられるランプソケットと、ランプ９が照射する光を反射する反射板１０を備える。
【００１５】
内枠部４は、略円筒形状をなし、アーム部３の先端部近傍に配置されるアーム軸部１１ａをネジなどによって固定するアーム支持部１１ｂと、外周上に一周繋がった溝状の回転支持受け部１２と、略円筒形状の外周側かつ上部近傍に可動ストッパー１００が取り付けられる可動ストッパー取付部２００と、可動ストッパー取付部２００とは反対側の外周側かつ上部近傍に支柱取付部１３を備える。
【００１６】
外枠部５は、略円筒形状をなし、この略円筒形状の上部から凸状に突出する固定ストッパー１４と、取付バネ６が取り付けられる取付バネ取付部１５と、ネジなどが回転支持取付穴に挿入されて形成される回転支持部１６と、略円筒形状の下部から円周外方に突出するツバ状のツバ部１７とを備える。
【００１７】
回転支持受け部１２は、外枠部５の外側から挿入されるネジなどの回転支持部１６が挿入されて、内枠部４が、円周方向に回転可能な状態で外枠部５の内側に取り付けられる。
【００１８】
支柱部８ａは、埃よけ部７に取り付けられる埃よけ取付部１８と、内枠部４の可動ストッパー取付部２００に取り付けられる可動ストッパー固定部１９を備える。埃よけ部７と埃よけ取付部１８とは、ネジや溶接などにより取り付けられ、可動ストッパー取付部２００と可動ストッパー固定部１９とは、取付ネジ２０によって取り付けられる。
【００１９】
次に、図３〜図５を用いて、本実施の形態の照明器具の要部の構造について説明する。
【００２０】
支柱部８ｂは、埃よけ部７に取り付けられる埃よけ取付部１８と、内枠部４の支柱取付部１３に取り付けられる内枠取付部２１を備える。埃よけ部７と埃よけ取付部１８とは、ネジや溶接などにより取り付けられ、支柱取付部１３と内枠取付部２１とは、ネジなどによって取り付けられる。
【００２１】
図３は、図１に示す照明器具の一部分を拡大した部分拡大図であり、図４は、図３に示す部分拡大図のＡ−Ａ断面を示す断面図であり、図５は、図３に示す部分拡大図の分解斜視図である。
【００２２】
可動ストッパー１００は、平板状に形成され、可動ストッパー取付部２００に取り付けられてスライドするスライド部１０１と、スライド部１０１にネジが挿入されるように長穴状に開けられたスライド長穴部１０２と、スライド部１０１の長手方向の略中央の位置に、スライドする方向に対して略垂直方向に突出するストッパー片１０３を備える。
【００２３】
可動ストッパー取付部２００は、可動ストッパー１００のスライド部１０１が配置され、灯具が回転する方向とほぼ平行な平面からなるスライド面２０１と、スライド面２０１からほぼ垂直に立ち上げて形成して、可動ストッパー１００をスライドするときにスライド部１０１の長手方向端部（スライド部の短手部）が接触するスライド部接触部２０２と、可動ストッパーがスライドするのをガイドするスライド方向ガイド部２０３と、取付ネジ２０を固定するネジ固定部２０４を備える
【００２４】
このスライド部接触部２０２に可動ストッパー１００が接触することによって、可動ストッパー１００がスライドするストロークを制限している。
【００２５】
可動ストッパー固定部１９は、２つの爪状の爪部２２と、ネジが挿入されるネジ挿入孔２３とを備えている。この可動ストッパー固定部１９は、２つの爪部２２の間に可動ストッパー１００のストッパー片１０３が突出するように収納し、取付ネジ２０がネジ挿入孔２３と可動ストッパー１００のネジ挿入孔２３とを貫通して、可動ストッパー取付部２００のネジ固定部２０４に固定され、可動ストッパー１００を可動可能に可動ストッパー取付部２００に固定する。
【００２６】
また、この可動ストッパー固定部１９は、支柱部８ａと一体となるように、金属板などを加工して形成されている。
【００２７】
スライド方向ガイド部２０３は、可動ストッパー１００がスライドするとき、スムーズにスライドできるように、可動ストッパー１００のスライド方向をガイドする。
【００２８】
次に、可動ストッパーの動作について説明する。
【００２９】
まず、可動ストッパー１００を固定ストッパー１４の一方に当接させた状態を、灯具２を回転させる前の状態（以下、回転角度０°状態という。）とし、この回転角度０°状態について、図６、図７を用いて説明する。
【００３０】
図６は、本実施の形態を示す灯具を回転する前の状態を示す斜視図であり、図７は、図６の一部分を拡大した部分拡大図である。
【００３１】
回転角度０°状態では、ストッパー片１０３の一方の側面側が固定ストッパー１４に当接し、また、可動ストッパー１００のスライド部１０１を一方のスライド部接触部２０２に接触している。
【００３２】
このとき、灯具２（内枠部４）の回転方向は、スライド部１０１がスライド部接触部２０２に接触しているので、一方向に規制される。
【００３３】
灯具２の照射角度は、アーム支持部１１ａ及びアーム軸部１１ｂを支点として、ユーザーが任意に変更することができ、灯具２の照射角度が変更できる範囲で、ランプ９が照射する照射エリアを変更することができる状態となっている。
【００３４】
灯具２の照射角度を維持したまま、ユーザーが灯具２（内枠部４）を回転させると、灯具２（内枠部４）は一方向に回転され、床面方向に対する照射角度を保った状態で、ランプ９が照射する照射エリアを変更することができる状態となっている。
【００３５】
次に、灯具２（内枠部４）を３６０°回転するときの状態（以下、回転角度３６０°状態という。）について、図８〜図１０を用いて説明する。
【００３６】
回転角度０°状態から、ユーザーが灯具２（内枠部４）を回転させると、床面方向に対する照射角度を保ちながら回転する。この灯具２（内枠部４）を回転しているとき、ストッパー片１０３は、固定ストッパー１４に接触していないので、可動ストッパー１００はスライドせず、一方のスライド部接触部２０２に接触した状態を維持する。
【００３７】
このとき、ランプ９の照射エリアは、回転角度０°状態とは灯具２を回転した回転角度分、異なった照射エリアを照射するようになるが、床面方向に対する照射角度は保っている。
【００３８】
さらに、灯具２（内枠部４）を回転していくと、灯具２の照射エリアは、灯具２を回転する前の回転角度０°状態にほぼ近いところまで達し、ストッパー片１０３の他方の側面側が固定ストッパー１４に接触し、ストッパー片１０３は、固定ストッパー１４に押されて、図８（ｂ）に示すＢ方向にスライドし始め、スライド部１０１は一方のスライド部接触部２０２から徐々に離れていく。
【００３９】
スライドしたスライド部１０１は、図８（ｃ）に示すように、やがて他方のスライド部接触部２０２に接触してスライド部１０１のスライドが止まり、これ以上灯具２（内枠部４）の回転ができなくなる。
【００４０】
このとき、灯具２（内枠部４）は３６０°回転しているので、ランプ９の照射エリアは、回転角度０°状態のときの照射エリアと等しくなっている。
【００４１】
スライド部１０１がスライドするストローク量を、固定ストッパー１４の幅と、ストッパー片１０３の幅を加算した分とすると、灯具２（内枠部４）の回転角度を０°〜３６０°とすることができる。
【００４２】
また、灯具２（内枠部４）の回転できる範囲が制限されるので、灯具２に接続される電線に掛かる捩れが一定の範囲内で抑えることができ、電線の断線などを防止できる。
【００４３】
また、灯具２（内枠部４）を３６０°回転させることができるので、ランプ９の照射エリアに死角をなくすことができ、ユーザーは任意な照射エリアを選択できる。
【００４４】
また、スライド部１０１は、回転方向に対して平行かつ略水平なスライド面２０１に取り付けられるので、スライド部１０１のエッジ部がスライド面２０１に引っ掛かることがなく、したがって、摩擦力を少なくすることができ、可動ストッパー１００をスムーズにスライドさせることができる。
【００４５】
また、ユーザーが灯具２（内枠部４）を回転する際、灯具２や内枠部４には、回転方向に対して垂直方向にも力が働くが、この垂直方向に働く力は回転支持部１５によって抑えられるので、可動ストッパー１００は影響を受けることがない。
【００４６】
したがって、ユーザーが灯具２（内枠部４）を回転する際に、可動ストッパー１００がスライドするときに発生する摩擦力に変化がなく、可動ストッパー１００をスムーズにスライドさせることができる。
【００４７】
このように、灯具２を回転する際、可動ストッパー１００と可動ストッパー取付部２００に掛かる摩擦力に変化が生じないため、可動ストッパー１００をスムーズに可動させることができる。
【００４８】
本実施の形態では、灯具２を３６０°回転する場合について説明したが、可動ストッパー１００のストローク量を変更することで、３６０°を越える回転角度まで灯具２を回転させることもでき、また、灯具２の回転角度を３６０°未満とすることもでき、可動ストッパー１００のストローク量は、使用用途によって適宜設定するとよい。
【００４９】
また、固定ストッパー１４は、可動ストッパー１００（ストッパー片１０３）の側面方向から押すので、可動ストッパー１００及びストッパー片１０３の厚み方向への撓みはほとんどない。
【００５０】
したがって、可動ストッパー１００及びストッパー片１０３が撓むことが起因となって、固定ストッパー１４がストッパー片１０３を乗り越えるということがなく、固定ストッパー１４とストッパー片１０３との接触力を強くすることができる。
【００５１】
可動ストッパー１００は、内枠部４の可動ストッパー取付部２００に収納され、可動ストッパー固定部１９を介して、取付ネジ２０によって固定されるが、このネジがスライド長穴部１０２を貫通するので、可動ストッパー１００は、ほぼ直線状にスライドすることができる。
【００５２】
なお、本実施の形態では、部品点数を抑制するため、支柱部８ａと可動ストッパー固定部１９を一体とする場合について説明したが、可動ストッパー固定部１９は、必ずしも支柱部８ａと一体でなくてもよく、また、材質も金属板に限らず、樹脂などで形成してもよい。
【００５３】
また、本実施の形態では、可動ストッパー１００がスライドするストローク量を、スライド部接触部２０２によって規制する場合について説明したが、スライド部接触部２０２を備えずに、爪部２１とストッパー片１０３とを当接させて可動ストッパー１００がスライドするストローク量を規制してもよく、また、爪部２１及びスライド部接触部２０２をそれぞれストッパー片７及びスライド部１０１に当接させるようにして、可動ストッパー１００がスライドするストローク量を規制してもよい。
【００５４】
また、本実施の形態では、内枠部４に可動ストッパー取付部２００を備える場合について説明したが、図１１に示す断面図のように、外枠部５に可動ストッパー取付部２００を備えてもよい。
【００５５】
また、可動ストッパー１００と固定ストッパー１４が、内枠部４または外枠部５よりも上部の位置で当接するので、内枠部４及び外枠部５の直径に影響されずに、内枠部４と外枠部５の間の空間距離を設定できる。
【００５６】
また、本実施の形態では、ストッパー片１０３をスライド部１０１の長手方向の略中央部から突出する場合について説明したが、ストッパー片１０３を突出させる箇所は、スライド部１０１の長手方向の略中央部に限らず、例えば、図１２（ａ）に示すように、スライド部１０１の長手方向の一端部からストッパー片１０３ａを突出させてもよい。
【００５７】
また、ストッパー片１０３が突出する方向が、可動ストッパー１００がスライドする方向に対して略垂直方向であれば、可動ストッパー１００の形状が略平板状でなくてもよく、例えば、図１２（ｂ）に示すように、ストッパー片１０３ｂの側面形状を略階段状としてもよい。
【００５８】
また、本実施の形態では、可動ストッパー１００のストッパー片１０３の形状をほぼ長方形の場合について説明したが、図１３に示すように、ストッパー片１０３ｃの突出する端部に行くほど徐々に広がる末広がり状にしてもよく、この場合、灯具２（内枠部４）の回転によって、ストッパー片１０３ｃが固定ストッパー１４に接触した後、可動ストッパー１００はよりスムーズに可動することができる。
【００５９】
また、本実施の形態では、埃よけ部７について詳細な説明を省略しているが、この埃よけ部７にランプ９を点灯する点灯装置や電源端子台などを取り付けてもよいし、この埃よけ部７にランプ９を点灯する点灯装置などを取り付けずに別置きとしてもよい。
【００６０】
また、本実施の形態では、照明器具１を天井の天井埋込穴に固定するとき、取付バネ６とツバ部１６が天井の天井材を挟み込んで、照明器具１を天井埋込穴に固定するものであるが、他の従来技術と同様の取付構造で固定してもよい。
【図面の簡単な説明】
【００６１】
【図１】実施の形態１における照明器具を示す斜視図である。
【図２】実施の形態１における照明器具を示す分解斜視図である。
【図３】実施の形態１における照明器具の一部分を拡大した拡大斜視図である。
【図４】実施の形態１における照明器具の一部分を拡大したＡ−Ａ断面図である。
【図５】実施の形態１における照明器具の一部を拡大した分解斜視図である。
【図６】実施の形態１における照明器具の灯具を回転する前の状態を示す斜視図である。
【図７】実施の形態１における照明器具の灯具を回転する前の状態を示す拡大斜視図である。
【図８】実施の形態１における照明器具の可動ストッパーの動作を示す側面図である。
【図９】実施の形態１における照明器具の灯具を回転した後の状態を示す斜視図である。
【図１０】実施の形態１における照明器具の灯具を回転した後の状態を示す拡大斜視図である。
【図１１】実施の形態１における他の内枠部及び外枠部を示す断面図である。
【図１２】実施の形態１における他の可動ストッパーを示す斜視図である。
【図１３】実施の形態１における他の可動ストッパーを示す上視図である。
【符号の説明】
【００６２】
１  照明器具、２  灯具、３  アーム部、４  内枠部、５  外枠部、６  取付バネ、７  埃よけ部、８ａ、８ｂ、８ｃ  支柱部、９  ランプ、１０  反射板、１１ａ  アーム支持部、１１ｂ  アーム軸部、１２  回転支持受け部、１３  支柱取付部、１４  固定ストッパー、１５  取付バネ取付部、１６  回転支持部、１７  ツバ部、１８  埃よけ取付部、１９  可動ストッパー固定部、２０  取付ネジ、２１  内枠取付部、２２  爪部、２３  取付ネジ挿入孔、２４  支柱取付ネジ、１００  可動ストッパー、１０１  スライド部、１０２  スライド長穴部、１０３、１０３ａ〜１０３ｃ  ストッパー片、２００  可動ストッパー取付部、２０１  スライド面、２０２  スライド部接触部、２０３  スライド方向ガイド部、２０４  ネジ固定部。
【図１】
2010049833.tif 000003
【図２】
2010049833.tif 000004
【図３】
2010049833.tif 000005
【図４】
2010049833.tif 000006
【図５】
2010049833.tif 000007
【図６】
2010049833.tif 000008
【図７】
2010049833.tif 000009
【図８】
2010049833.tif 000010
【図９】
2010049833.tif 000011
【図１０】
2010049833.tif 000012
【図１１】
2010049833.tif 000013
【図１２】
2010049833.tif 000014
【図１３】
2010049833.tif 000015